(57)【特許請求の範囲】
【請求項１】
合成樹脂製配管に適用される熱媒体組成物であって、不凍性成分及び水、又は水を主成分とするとともに、陰イオン界面活性剤としてアルキルベンゼンスルホン酸塩を０．００１〜０．１重量％、並びにヒンダードフェノール系熱安定剤、ヒンダードアミン系熱安定剤及びトリス（２，４−ジ−ｔ−ブチルフェニル）フォスファイトから選択される少なくとも一種の酸化防止剤を含有し、合成樹脂製配管に対する劣化抑制作用を有することを特徴とする熱媒体組成物。
【発明の詳細な説明】
【０００１】
【発明の属する技術分野】
この発明は、例えば、温水の循環を利用した床暖房、ファンコンベクター、エアコン、ロードヒーティングシステム、融雪システム等の冷却又は加熱系統を備えた熱交換システムにおいて使用される熱媒体組成物、及びその組成物の循環装置における酸化防止剤の供給方法に関するものである。より詳しくは、前記熱交換システムを構成する金属製配管及び合成樹脂製配管に対する劣化を効果的に抑制することができるように構成された熱媒体組成物に関するものである。
【０００２】
【従来の技術】
従来より、この種の熱媒体組成物としては、金属製配管の腐食を防止するように構成された種々の冷却液組成物が知られている。これら冷却液組成物は、不凍性成分であるグリコール類と水とを主成分とするとともに、鉄系、銅系、アルミニウム系等の金属の腐食を防止するための防食添加剤が含有されている。そして、これら冷却液組成物を、前記種々の金属材料からなる配管内で循環させることによって、前記防食添加剤の作用により配管内表面の腐食を抑制して熱交換システムを長持ちさせることができる。
【０００３】
【発明が解決しようとする課題】
ところが、前記従来の冷却液組成物を、架橋ポリエチレン等からなる合成樹脂製の配管を備えた熱交換システムに適用した場合には、その配管を構成する合成樹脂を急速に劣化させ、ひどいときには配管に亀裂を生じさせてしまうという問題が発生していた。
【０００４】
この発明は、上記のような従来技術に存在する問題点に着目してなされたものである。その目的とするところは、金属製配管及び合成樹脂製配管の劣化を効果的に抑制することができるように構成された熱媒体組成物を提供することにある。
【０００５】
【課題を解決するための手段】
上記の目的を達成するために、請求項１に記載の発明の熱媒体組成物は、合成樹脂製配管に適用される熱媒体組成物であって、不凍性成分及び水、又は水を主成分とするとともに、陰イオン界面活性剤としてアルキルベンゼンスルホン酸塩を０．００１〜０．１重量％、並びにヒンダードフェノール系熱安定剤、ヒンダードアミン系熱安定剤及びトリス（２，４−ジ−ｔ−ブチルフェニル）フォスファイトから選択される少なくとも一種の酸化防止剤を含有し、合成樹脂製配管に対する劣化抑制作用を有することを特徴とするものである。
【００１０】
【発明の実施の形態】
以下、この発明を具体化した実施形態を詳細に説明する。
実施形態の熱媒体組成物は、不凍性成分としてのグリコール類と水とを主成分とするとともに、防食添加剤及び界面活性剤を含有している。この熱媒体組成物は、そのまま又は水で希釈した後、床暖房、ファンコンベクター、エアコン、ロードヒーティングシステム、融雪システム等の熱交換システムの冷却又は加熱系統に充填して使用される。そして、これら冷却又は加熱系統を構成する熱交換器、循環配管（金属製配管及び合成樹脂製配管）及び接続部の劣化抑制作用を有している。なお、前記熱交換器、金属製配管及び接続部は鋳鉄、鋼鉄、銅、黄銅、アルミニウム、アルミニウム合金、ハンダ等の金属材料により構成され、前記合成樹脂製配管は、架橋ポリエチレン、ポリエチレン、ポリプロピレン、ナイロン、ポリブテン、ポリ塩化ビニル等の熱可塑性樹脂、又はポリアミド樹脂、ＡＢＳ樹脂等の熱硬化性樹脂により構成されている。
【００１１】
グリコール類は、主として、熱媒体組成物の凝固点を降下させる（沸点を上昇させる作用も有している）ための不凍性成分として熱媒体組成物中に含有され、エチレングリコール、プロピレングリコール、１，３−ブチレングリコール、へキシレングリコール、ジエチレングリコール、グリセリン等が挙げられる。また、このグリコール類は、前記防食添加剤の溶解性を高める効果も有している。これらグリコール類のうち、入手しやすく安価であることからエチレングリコール又はプロピレングリコールを使用するのが好ましい。これらグリコール類の濃度は、使用される環境温度等によって適宜決定されるものであるが、２５〜６０容量％の範囲で使用するのが好ましい。
【００１２】
防食添加剤は、鋳鉄、鋼鉄、銅、黄銅、アルミニウム、アルミニウム合金、ハンダ等の金属材料により構成される熱交換器、金属製配管及び接続部に対する腐食防止効果を発揮させるために含有されている。この防食添加剤は、前記金属材料の腐食を効果的に防止することができる公知の防食添加剤を使用することが可能である。この防食添加剤としては、例えば、安息香酸塩、チアゾール化合物、有機酸等が好適に添加されるが、上記冷却及び加熱系統を構成する金属材料として銅系金属が一般的であることから、銅系金属の腐食防止効果が高いトリアゾール化合物が最も好適に使用される。このトリアゾール化合物としては、ベンゾトリアゾール又はトリルトリアゾールが使用される。
【００１３】
熱媒体組成物中のトリアゾール化合物の濃度は、好ましくは０．０１〜０．２重量％、より好ましくは０．０３〜０．１重量％である。このトリアゾール化合物の濃度が０．０１重量％未満の場合には、金属材料の腐食を充分に防止することができない。逆に０．２重量％を越える場合には、熱媒体組成物中に完全に溶解されなくなるおそれがある。
【００１４】
界面活性剤は、前記合成樹脂製配管を構成する合成樹脂、特に熱可塑性樹脂（架橋ポリエチレンが最も効果が高い）に対する劣化抑制効果を発揮させるために含有される。この界面活性剤は、合成樹脂製配管の内表面に含浸されてその表面を薄く被覆し、熱媒体組成物中に存在する金属イオンや金属キレート化合物等の合成樹脂製配管への移行を阻害することにより、それら金属イオン等による合成樹脂製配管の内表面に対する劣化促進作用を阻害する。
【００１５】
この界面活性剤としては、陰イオン界面活性剤、陽イオン界面活性剤又は非イオン界面活性剤が使用可能である。陰イオン界面活性剤としては、ラウリン酸塩、ミリスチン酸塩、パルミチン酸塩、ステアリン酸塩、オレイン酸塩等の炭素数１０〜１８の脂肪酸石鹸、アルキルベンゼンスルホン酸塩、アルキルナフタレンスルホン酸塩、アルキルエーテルリン酸エステル塩、アルキルリン酸エステル塩、４−（ｎ−ヘブチル）シクロヘキシルカルボン酸塩等が挙げられる。また、陽イオン界面活性剤としては、塩化ベンジルトリ−ｎ−ブチルアンモニウム、塩化ベンジルジメチルステアリルアンモニウム等の第四級アンモニウム塩、塩化ヘキサデシルピリジニウム等のピリジニウム塩が挙げられる。非イオン界面活性剤としては、ヘキサメチレングリコールドデシルエーテル、ポリオキシエチレンオクチルフェニルエーテル、スクロースモノラウレート、ソルビタンモノラウレート等のポリオキシエチレングリコール系や多価アルコール系の非イオン界面活性剤が挙げられる。
【００１６】
これらの界面活性剤のうち、合成樹脂製配管の劣化抑制効果が高いことから、陰イオン界面活性剤が最も好適に使用される。熱媒体組成物中の界面活性剤の濃度は、好ましくは０．００１〜０．１重量％、より好ましくは０．００５〜０．０５重量％である。この界面活性剤の濃度が０．００１重量％未満の場合には、合成樹脂製配管に対する劣化抑制効果を充分に発揮させることができない。逆に０．１重量％を越える場合には、熱媒体組成物が著しく発泡しやすくなる。
【００１７】
さらに、この熱媒体組成物に、合成樹脂製配管を構成する合成樹脂の酸化抑制効果を発揮させるための酸化防止剤を含有させるのが好ましい。酸化防止剤としては、ペンタエリスリチル−テトラキス［３−（３，５−ジ−ｔ−ブチル−４−ヒドロキシフェニル）プロピオネート］、オクタデシル−３−（３，５−ジ−ｔ−ブチル−４−ヒドロキシフェニル）プロピオネート等のヒンダードフェノール系熱安定剤、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレイト等のヒンダードアミン系熱安定剤、トリス（２，４−ジ−ｔ−ブチルフェニル）フォスファイト等のリン系加工安定剤が好適に使用される。
【００１８】
熱媒体組成物中の酸化防止剤の濃度は、好ましくは０．０１〜０．５重量％、より好ましくは０．０３〜０．３重量％である。この酸化防止剤の濃度が０．０１重量％未満の場合には、合成樹脂製配管に対する酸化抑制効果を充分に発揮させることができないことから、合成樹脂製配管の劣化を充分に抑制することができない。逆に０．５重量％を越える場合には経済的でない。また、この熱媒体組成物に、着色用の色素、発泡を抑えるための消泡剤、誤飲防止のための苦み剤、ｐＨ調整剤等を適宜組み合わせて添加してもよい。
【００１９】
一方、前記酸化防止剤は、熱媒体組成物中に溶解され難いことから、図１に略示されるような酸化防止剤の供給装置としてのフィーダー１１を利用して熱媒体組成物中に供給するとよい。図１に模式的に示すように、熱媒体組成物の循環装置１２は、熱交換器１３、放熱器１４及び循環ポンプ１５を備え、熱媒体組成物１６が熱交換器１３から放熱器１４へ、及び放熱器１４から熱交換器１３へと循環するように循環配管１７で環状に連結されている。
【００２０】
熱交換器１３は、加熱又は冷却するための図示しない熱源を備え、その内部に配設された循環配管１７ａ内の熱媒体組成物１６を加熱又は冷却するように構成されている。放熱器１４は、その内部に配設された循環配管１７ｂにより、前記熱交換器１３内で加熱又は冷却された熱媒体組成物１６から熱を取り出して放熱するように構成されている。循環ポンプ１５は、循環配管１７の途中（熱交換器１３の僅かに下流位置）に設けられ、循環配管１７内の熱媒体組成物１６を強制的に循環させる。そして、熱交換器１３で加熱又は冷却された熱媒体組成物１６が循環ポンプ１５により循環配管１７内を循環され、放熱器１４で温熱又は冷熱が取り出され、その取り出された熱が外部に放出されるようになっている。
【００２１】
前記熱交換器１３及び放熱器１４内に配設されている循環配管１７ａ，１７ｂは、いずれも熱交換効率が良好となるように、熱交換器１３又は放熱器１４の内部において蛇行するように配設されている。これら熱交換器１３及び放熱器１４内に配設された循環配管１７ａ，１７ｂ以外の循環配管１７は、周囲が図示しない断熱材で覆われ、熱が無駄に放出されないようになっている。また、前記循環配管１７ａは金属材料により構成され、循環配管１７ｂは合成樹脂材料により構成されている。これら循環配管１７ａ，１７ｂ以外の循環配管１７は、金属材料又は合成樹脂材料により構成されている。さらに、これら循環配管１７と接続される接続部等も金属材料又は合成樹脂材料により構成されている。
【００２２】
前記循環ポンプ１５の下流に位置する循環配管１７の途中には、バイパス通路２１が設けられている。このバイパス通路２１の中央部には、フィーダー１１が設けられているうえ、そのフィーダー１１の上下流位置には一対のバイパスバルブ２２が設けられている。これらバイパスバルブ２２は、バイパス通路２１内に送液される熱媒体組成物１６の流量を調節したり、バイパス通路２１内の熱媒体組成物１６の流れを停止させたりすることができるようになっている。また、前記バイパス通路２１と並列に延びる循環配管１７ｃの中央部には、バルブ２３が設けられており、循環配管１７ｃ内に送液される熱媒体組成物１６の流量を調節したり、循環配管１７ｃ内の熱媒体組成物１６の流れを停止させたりすることができるようになっている。
【００２３】
フィーダー１１は、バイパス通路２１と接続される接続管３１と、その接続管３１の中央部より上方に立設又は下方に垂下された円筒状の収容部３２とを備えている。前記接続管３１の両端部は、バイパス通路２１の接続端と接続されるようになっている。この接続管３１の中央部には、収容部３２内へと連通する連通孔３３が開口されているうえ、その連通孔３３を通って熱媒体組成物１６を収容部３２内へと流入させるためのガイド板３４が熱媒体組成物１６の送液方向と垂直に設けられている。
【００２４】
前記収容部３２内には、粉末状又は顆粒状の酸化防止剤が収容袋３５内に充填された状態で収容されている。前記収容袋３５は、液体（熱媒体組成物１６）に対する高い浸透性を有するとともに、粉末状又は顆粒状の酸化防止剤が漏出しない緻密なメッシュ状の材料により構成されており、不織布が好適に使用される。さらに、この循環装置１２が加熱系統を構成している場合には、耐熱性を有する材料により収容袋３５が構成されているのが好ましい。また、前記粉末状又は顆粒状の酸化防止剤を打錠して錠剤とするとともに、前記収容袋３５を比較的目の粗い網によって構成してもよく、この場合には酸化防止剤の交換作業等の作業性を容易に高めることが可能となる。
【００２５】
なお、この循環装置１２は、熱媒体組成物１６に対する溶解度が低い酸化防止剤を収容したフィーダー１１が熱交換器１３の僅かに下流位置に配設されていることから、加熱系統を構成しているのが好ましい。逆に、冷却系統を構成する循環装置１２においては、前記フィーダー１１は熱交換器１３の上流位置（熱交換器１３と放熱器１４との中間位置）に配設されるとよく、この場合には、温度依存的に溶解度が高められる酸化防止剤を効率よく熱媒体組成物１６中に溶解させることができる。
【００２６】
さて、上記循環装置１２を用いて熱媒体組成物１６中に酸化防止剤を供給する際には、まず、循環配管１７ｃとバイパス通路２１内に送液される熱媒体組成物１６の流量比がほぼ２：８となるように、各バルブ２２，２３の開度を調節する。そして、この状態で循環装置１２を運転することにより、循環ポンプ１５より送液される熱媒体組成物１６は、その８割程がバイパス通路２１へと送液されてフィーダー１１内へと到達する。
【００２７】
このとき、前記熱媒体組成物１６は、循環ポンプ１５側に位置する接続管３１の一端部からフィーダー１１内に流入した後、矢印で示されるようにガイド板３４により流路が９０°屈曲されて収容部３２内へと流入する。続いて、この熱媒体組成物１６は、前記収容部３２内で収容袋３５の内部の酸化防止剤と接触し、その酸化防止剤を徐々にではあるが継続的に溶解させながら接続管３１の他端部へと流出する。そして、前記収容袋３５内の酸化防止剤は、粉末状又は顆粒状のまま循環配管１７内に流出したり、フィーダー１１内で固形状に変化して熱媒体組成物１６と接触不良を起こしたりすることなく、熱媒体組成物１６中に徐々に溶解されながら高い酸化防止効果を継続的に発揮する。
【００２８】
上記実施形態によって発揮される効果について、以下に記載する。
・  実施形態の熱媒体組成物は、グリコール類と水とを主成分とするとともに、防食添加剤及び界面活性剤が含有されている。このため、前記防食添加剤により金属製配管の腐食を効果的に防止することができるとともに、前記界面活性剤により合成樹脂製配管（特に熱可塑性樹脂管）の劣化を効果的に抑制することができる。従って、床暖房、ファンコンベクター、エアコン、ロードヒーティングシステム、融雪システム等の熱交換システムを構成する冷却又は加熱系統全体の劣化を包括的に抑制し、それらシステムを容易に長持ちさせることができる。特に、加熱系統を備えた熱交換システムでは、長時間高温に曝されることから合成樹脂製配管の劣化が著しいが、前記界面活性剤によりそのシステムを効果的に長持ちさせることが可能である。
【００２９】
・  防食添加剤としてトリアゾール化合物を添加することによって、金属製配管の劣化を容易かつ極めて効果的に抑制することができる。また、界面活性剤として０．００１〜０．１重量％の陰イオン界面活性剤を添加することによって、合成樹脂製配管の劣化を容易かつ極めて効果的に抑制することができる。
【００３０】
・  熱媒体組成物に酸化防止剤を含有させることによって、合成樹脂製配管の酸化を容易に抑制することができることから、酸化に起因する合成樹脂製配管の劣化を容易に抑えることができる。この劣化抑制作用は、前記金属イオン等による劣化抑制作用とは大きく異なる作用機序によるものであることから、合成樹脂製配管の劣化抑制をより一層強化することが可能である。さらに、前記酸化防止剤としてヒンダードフェノール系熱安定剤又はヒンダードアミン系熱安定剤を使用することによって、合成樹脂製配管の劣化を容易かつさらに効果的に抑制することができる。
【００３１】
・  実施形態のフィーダー１１は、循環配管１７の一部を構成するバイパス通路２１と接続される接続管３１と、その接続管３１の中央部に設けられた酸化防止剤の収容部３２とを備え、前記収容部３２内に熱媒体組成物１６を循環させるように構成されている。このため、このフィーダー１１を用いて酸化防止剤を熱媒体組成物１６中に溶解させることにより、溶解度の低い酸化防止剤を熱媒体組成物１６中に適切に溶解させることができることから、合成樹脂製配管の劣化を効果的に抑制することができる。
【００３２】
すなわち、この酸化防止剤の供給方法は、フィーダー１１内で固定状態にある酸化防止剤に、循環ポンプ１５により送液状態にある熱媒体組成物１６を当てることにより、熱媒体組成物１６中に酸化防止剤を極めて容易かつ効率的に溶解させることができる。さらに、酸化防止剤がフィーダー１１内から漏出しないように構成されていることから、粉末状又は顆粒状の酸化防止剤、及びその酸化防止剤に由来する不溶解物が熱媒体組成物１６とともに循環配管１７内を循環しないようにすることができる。このため、循環配管１７の詰まり、循環不良及び損傷を極めて効果的に抑制することが可能である。加えて、フィーダー１１内に収容されている酸化防止剤は、熱媒体組成物１６中に徐々にではあるが継続的に溶解されるようになっていることから、熱媒体組成物１６中に必要とされる濃度を長期間に渡って継続的に維持することが容易である。
【００３３】
また、フィーダー１１内の酸化防止剤残量を目視にて確認可能であることから、熱媒体組成物１６が充分な酸化防止効果を発揮し得るか否かを極めて容易に把握することができるうえ、その補給時期を容易に把握することもできる。さらに、循環配管１７ｃと並列に設けられたバイパス通路２１にフィーダー１１を設けることによって、循環装置１２内における熱媒体組成物１６の送液をほとんど妨げることなく、酸化防止剤の供給を極めて円滑に行うことができる。
【００３４】
【実施例】
以下、前記実施形態を具体化した実施例及び比較例について説明する。
【００３５】
ＪＩＳ  Ｋ  ６７７４（１９９８）に記載の方法に準拠して、熱可塑性樹脂管に対する熱安定性試験を行った。浸漬処理した樹脂管と、浸漬処理していない未処理の樹脂管とについて、示差走査熱量計（島津製作所製のＤＳＣ６０）を用いて酸化誘導時間（ＯＩＴ）を測定した後、未処理の樹脂管のＯＩＴに対する浸漬処理した樹脂管のＯＩＴの割合、すなわちＯＩＴ保持率（％）を求めた。
【００３６】
なお、前記ＯＩＴの測定は、約３ｍｍ×３ｍｍ角の試験片（質量５±０．５ｍｇ）をＤＳＣ６０に導入した後、窒素雰囲気下２０℃／分で昇温し、２１０℃に達してからその温度を保持させ、温度が安定したら５分後に窒素雰囲気下から酸素雰囲気下に切換えて測定を開始した。酸化発熱が起こり、最大ピークが観測されるまで測定を継続的に記録した。そして、ベースラインの延長線と発熱曲線の最大傾斜点で引いた接線とが交わる時点と、測定開始時点との間の時間（分）をＯＩＴとした。
【００３９】
（実施例８〜１２及び比較例８）
下記表３に示される成分（重量％）を含有する実施例８〜１２及び比較例８の熱媒体組成物を作製した。なお、比較例８にはプロピレングリコールの代わりにショーワ（株）製のショウブラインＰＰスーパーを添加した。次に、各熱媒体組成物を図１に示される循環装置１２の循環配管１７内に充填し、下記運転条件にて所定時間運転した。
【００４０】
温度  ：６０℃
流量  ：１ Ｌ／ｍｉｎ
時間  ：３３６時間又は１０００時間連続運転
その他：バイパス通路２１と循環配管１７ｃとの流量比は８：２
なお、前記循環装置１２において、放熱器１４内の循環配管１７ｂは三菱化学産資（株）製の架橋ポリエチレン管１０Ａ、その他の循環配管１７は銅管を用いた。また、実施例８〜１２の熱媒体組成物に添加される酸化防止剤は、いずれも粉末状又は顆粒状であり、不織布（日本バイリーン（株）製のポリオレフィン系不織布ＦＣ−５０Ｎ）からなる収容袋３５内に充填した状態でフィーダー１１内に装着した。
【００４１】
そして、この循環装置１２を所定時間運転した後、前記循環配管１７ｂを構成する架橋ポリエチレン管をサンプルとし、上記示差走査熱量計（島津製作所製のＤＳＣ６０）にて同様にＯＩＴ保持率（％）を測定した。結果を表３に示す。
【００４２】
【表３】
0003732773.tif 000002
なお、本実施形態は、次のように変更して具体化することも可能である。
【００４３】
・  熱媒体組成物を、水を主成分とするとともに、防食添加剤及び界面活性剤を含有させるように構成すること、すなわち不凍性成分を省略すること。このように構成した場合、熱媒体組成物の凝固点降下及び沸点上昇作用が発揮されない以外は、上記実施形態と全く同様に金属製配管及び合成樹脂製配管の劣化を抑制することができる。
【００４４】
・  不凍性成分としてグリコール類を用いる代わりにギ酸のアルカリ金属塩を用いること。このギ酸のアルカリ金属塩としては、水に対する溶解性が良好であることから、ギ酸ナトリウム又はギ酸カリウムを含有させるのが好ましく、水に対する溶解性が非常に高いことから、ギ酸カリウムを含有させるのが最も好ましい。また、ギ酸を含有する熱媒体組成物に、水酸化ナトリウム又は水酸化カリウムを添加してｐＨ調節を行うことによってギ酸のアルカリ金属塩としてもよい。
【００４５】
このように構成した場合、不凍性成分としてグリコール類を用いたときと同様の効果を発揮することができる。すなわち、このギ酸のアルカリ金属塩が溶解された水溶液は、非常に高い凝固点降下作用を発揮することができるうえ、その水溶液をマイナス２０〜マイナス５５℃程度の低温に冷却した場合でも、溶液の粘度があまり上昇しない性質を有している。さらに、このギ酸のアルカリ金属塩は腐食性及び揮発性をほとんど有していない。
【００４６】
また、熱媒体組成物中のギ酸のアルカリ金属塩の濃度としては、熱媒体組成物を使用する温度範囲によって適宜決定されるものであるが、３０〜６０重量％の濃度範囲で含有されるのが好ましい。このギ酸のアルカリ金属塩の濃度が３０重量％未満の場合には、熱媒体組成物がマイナス１５℃以下に冷却されたときに凍結してしまうおそれがある。逆に６０重量％を越える場合には、熱媒体組成物が液体状にならないおそれがある。
【００４７】
・  上記循環装置１２において、バイパス通路２１を省略するとともに、循環配管１７ｃの途中に図２に示されるようなフィーダー４１を設けること。このフィーダー４１は、循環配管１７ｃの接続端と接続される接続管４２と、その接続管４２の中央部一側方に固設された収容部としての箱状のハウジング４３とを備えている。この接続管４２の中央部には、前記ハウジング４３に熱媒体組成物１６を流入及び流出させるための流入孔４４及び流出孔４５が貫設されている。さらに、このハウジング４３内には、必要に応じて収容袋３５内に収容された酸化防止剤が収容されている。
【００４８】
一方、このフィーダー４１の接続管４２内には、前記流入孔４４と流出孔４５との中間位置に円環状（断面三角形状）に形成された絞り４６を嵌着させ、接続管４２内の流路抵抗を増大させるように構成するのが好ましい。また、この絞り４６の開度は、接続管４２内とハウジング４３内とを通過する熱媒体組成物１６の流量比が２：８となるように構成されているのが好ましい。
【００４９】
そして、このフィーダー４１を装着した循環装置１２を運転することにより、循環配管１７ｃ（接続管４２）内を送液される熱媒体組成物１６は、絞り４６によりその８割程が流入孔４４からハウジング４３内へと流入される。このハウジング４３内に流入した熱媒体組成物１６は、酸化防止剤と接触してその酸化防止剤を徐々に溶解させながら流出孔４５へと達した後、その流出孔４５を通って接続管４２内に合流し、上記実施形態と同様に循環装置１２内を循環する。
【００５０】
このように構成した場合、フィーダー４１により酸化防止剤の供給を容易かつ適切に行うことができる。さらに、このフィーダー４１は、循環装置１２にバイパス通路２１を増設することなく装着可能であることから、汎用されている熱媒体組成物の循環装置に容易かつ安価に取り付けることが可能である。
【００５１】
さらに、前記実施形態より把握できる技術的思想について以下に記載する。
・  前記不凍性成分をグリコール類又はギ酸のアルカリ金属塩とすることを特徴とする熱媒体組成物。
【００５２】
・  前記トリアゾール化合物を０．０１〜０．２重量％含有させたことを特徴とする熱媒体組成物。
・  金属製配管及び合成樹脂製配管が設けられた冷却又は加熱系統を備えた熱交換システムに用いられることを特徴とする熱媒体組成物。
【００５３】
・  熱可塑性樹脂管を備えた熱交換システムに用いられることを特徴とする熱媒体組成物。
・  熱交換器と、金属製配管及び合成樹脂製配管からなる循環配管とを備えた熱交換システムであって、前記循環配管内に前記請求項に記載の熱媒体組成物が封入されていることを特徴とする熱交換システム。このように構成した場合、循環配管の劣化を効果的に抑制することができる。
【００５４】
・  前記請求項に記載の熱媒体組成物中に前記酸化防止剤を供給するための酸化防止剤の供給装置であって、熱交換器から放熱器へ、及び放熱器から熱交換器へと循環するように循環配管で環状に連結された熱媒体組成物の循環装置の循環配管に装着され、前記循環配管と接続される接続管と、その接続管の中央部に設けられた酸化防止剤の収容部とを備え、前記収容部内に熱媒体組成物を循環させるように構成したことを特徴とする熱媒体組成物の循環装置における酸化防止剤の供給装置。このように構成した場合、酸化防止剤を容易かつ適切に熱媒体組成物中に供給することができることから、合成樹脂製配管の劣化を効果的に抑制することができる。
【００５５】
【発明の効果】
以上詳述したように、この発明によれば、次のような効果を奏する。
請求項１から請求項２に記載の発明の熱媒体組成物によれば、合成樹脂製配管の劣化を効果的に抑制することができる。
【図面の簡単な説明】
【図１】  実施形態の熱媒体組成物の循環装置を示す概略図。
【図２】  実施形態以外の熱媒体組成物の循環装置の一部を示す断面図。
【符号の説明】
１１…酸化防止剤の供給装置としてのフィーダー、１２…熱媒体組成物の循環装置、１３…熱交換器、１４…放熱器、１６…熱媒体組成物、１７…循環配管、４１…酸化防止剤の供給装置としてのフィーダー。
【図１】
0003732773.tif 000003
【図２】
0003732773.tif 000004